(57)【要約】【課題】毛髪カットの際に、毛量調節から仕上げの工程までの一連のカットを、一本の鋏で行なえるようにして、複数の鋏を使い分ける必要がなく、斬新なヘアースタイルを容易に演出できるようにすることを課題とする。【解決手段】本発明の梳き鋏１は、一対の鋏部材２，３を交差させ、この交差部５を枢軸６で連結し、一方の鋏部材２は切り刃部２２を備え、他方の鋏部材３は、幅の狭い刃部３４と溝３５とが交互に設けられた櫛刃部３２を備えている。そして、前記他方の鋏部材３の櫛刃部３２よりも先端側には、適宜長さに設定された切り刃部２２が設けられている。【選択図】  図１
2007215686.tif 000002
【特許請求の範囲】
【請求項１】
一対の鋏部材を交差させ、この交差部を枢軸で連結し、一方の鋏部材は切り刃部を備え、他方の鋏部材は、幅の狭い刃部と溝とが交互に設けられた櫛刃部を備えている梳き鋏において、前記他方の鋏部材の櫛刃部よりも先端側には、切り刃部が設けられたことを特徴とする梳き鋏。
【請求項２】
前記櫛刃部の溝は、刃先側に開口する入口部と、この入口部と連通し且つ入口部よりも幅が大きな膨出部とを有し、前記溝は、入口部から膨出部に向けて他方の鋏部材の先端側に傾斜するように設けられている請求項１に記載の梳き鋏。
【請求項３】
前記他方の鋏部材に設けられた切り刃部の長さは、１５ｍｍ〜２０ｍｍの範囲に設定されている請求項１または２に記載の梳き鋏。
【発明の詳細な説明】
【技術分野】
【０００１】
本発明は、理美容分野で使用される梳き鋏に関する。
【背景技術】
【０００２】
理美容分野で使用される梳き鋏は、毛髪の一部のみを切断する鋏で、一対の鋏部材を交差させ、この交差部を枢軸で連結し、一方の鋏部材は切り刃部が設けられ、他方の鋏部材は、幅の狭い刃部と溝とが交互に設けられた櫛刃部を備えているものである（例えば、特許文献１参照）。
【０００３】
そして、毛髪切断に際して、櫛刃部の溝に侵入した毛髪は切断されず、一方の鋏部材は切り刃部と、他方の鋏部材の櫛刃部の刃先部とで挟まれた毛髪が切断される。
【特許文献１】特開２００２−２９２１６０号公報
【発明の開示】
【発明が解決しようとする課題】
【０００４】
最近、印象が強いスポーツ＆カジュアル志向のヘアスタイルが注目されている。かかるヘアスタイルを演出する毛髪カットの手順は、１，両刃を有する通常の鋏により毛髪を適宜長さに切断するベースカットと、２，毛量調節と、３，毛の質感に変化を与えるマテリアルカットと、４，仕上げとの順で行なう。前記それぞれのカット工程において、機能の異なる複数種類の鋏を使用するのが一般的である。そのため、使用者は、必要に応じて複数種類の鋏を使い分けており、非常に面倒であった。
【０００５】
また、各カット工程において鋏を使い分けて毛髪をカットするには、熟練を要するという問題もあった。
【０００６】
本発明は、かかる点に鑑みてなされたものであり、毛髪カットの際に、毛量調節から仕上げの工程までの一連のカットを、一本の鋏で行なえるようにして、複数の鋏を使い分ける必要がなく、斬新なヘアースタイルを容易に演出できるようにすることを課題とする。
【課題を解決するための手段】
【０００７】
本発明は、前記課題を解決するためになされたもので、一対の鋏部材を交差させ、この交差部を枢軸で連結し、一方の鋏部材は切り刃部を備え、他方の鋏部材は、幅の狭い刃部と溝とが交互に設けられた櫛刃部を備えている梳き鋏において、前記他方の鋏部材の櫛刃部よりも先端側には、切り刃部が設けられたことにある。
【０００８】
本発明の梳き鋏は、一方の鋏部材の切り刃部と、他方の鋏部材の櫛刃部との協働により、毛髪を適宜梳くことができる。また、一方の鋏部材の切り刃部と、他方の鋏部材の切り刃部とにより、毛髪を１００％切断することができる。
【０００９】
本発明の梳き鋏の前記溝は、前記櫛刃部の溝は、刃先側に開口する入口部と、この入口部と連通し且つ入口部よりも幅が大きな膨出部とを有し、前記溝は、入口部から膨出部に向けて他方の鋏部材の先端側に傾斜するように設けられているのか好ましい。
【００１０】
本発明の梳き鋏の前記他方の鋏部材に設けられた切り刃部の長さは、１５ｍｍ〜２０ｍｍの範囲に設定されているのが好ましい。
【発明の効果】
【００１１】
本発明によれば、毛髪カットの際に、毛量調節から仕上げの工程までを一本の鋏で行なえ、複数の鋏を使い分ける必要がなく、容易且つ迅速にカットできる。
【発明を実施するための最良の形態】
【００１２】
以下、本発明の一実施の形態について図面を参照しながら説明する。
【００１３】
図１〜図９は、本実施の形態の梳き鋏を示す。図１〜図５に示すように、本実施の形態にかかる梳き鋏１は、一対の鋏部材２，３を略中央部で交差させ、互いに開閉できるように、この交差部５を枢軸６で連結してなるものである。一方の鋏部材２は、一端側に指孔部２１が設けられると共に、他方側（先端側）に普通の切り刃部２２が設けられている。この切り刃部２２は、交差部５の近傍から一方の鋏部材２の先端まで連続して設けられている。一方の鋏部材２は、指孔部２１に指掛け片２３が設けられており、静刃側とされている。
【００１４】
他方の鋏部材３は、一端側に指孔部３１が設けられると共に、他方側（先端側）に櫛刃部３２と切り刃部３３とが設けられている。なお、他方の鋏部材３は、動刃側とされている。櫛刃部３２は、刃に多数の溝（櫛刃間隙）３５を設けることにより、幅の狭い刃部３４と溝３５とが交互に設けられた構成である。
【００１５】
各溝３５は、図４に示すように刃先３４ａに開口する入口部３６と、この入口部３６と連通し且つ入口部３６よりも幅が大きな膨出部３７を有している。また、各溝３５は、入口部３６から膨出部３７（刃先３４ａから峰３４ｂ）に向けて他方の鋏部材３の先端側に傾斜するように設けられている。櫛刃部３２の長さＬｌは、５０ｍｍ〜６５ｍｍの範囲に設定されており、好ましくは、５５ｍｍ〜６０ｍｍの範囲に設定される。
【００１６】
切り刃部３３は、櫛刃部３２よりも他方の鋏部材３の先端側に位置するように設けられている。この切り刃部３３は、全長にわたって連続する刃先を有し、その長さＬ２は、前記櫛刃部３２の長さＬｌよりも小さくなるように、１５ｍｍ〜２０ｍｍに設定されており、好ましくは、略１８ｍｍに設定される。切り刃部３３の長さＬ２が、１５ｍｍよりも小さいと、切断される毛髪の量が少なくなり、２０ｍｍよりも大きいと、櫛刃部３２で毛髪を梳く量に比し、切断される毛髪の量が多くなり過ぎる。従って、切り刃部３３の長さＬ２を、このように設定することにより、切り刃部３３と櫛刃部３２との使い分けを適切に行なうことが可能となる。
【００１７】
次に、前記構成からなる梳き鋏１を使用する場合について説明する。なお、かかる梳き鋏１を使用する以前に、通常の鋏によりベースカットが施されている。
【００１８】
ベースカット後の毛量調節に際しては、開いた梳き鋏１を閉じて、通常の梳き鋏と同様に、一方の鋏部材２の切り刃部２２と、他方の鋏部材３の櫛刃部３２との協働により、毛髪を梳くことができる。また、このとき、必要に応じて一方の鋏部材２の切り刃部２２と、他方の鋏部材３の切り刃部３３との協働により、毛髪の根元部分を切断することも可能である。
【００１９】
マテリアルカットを行なう際には、例えば、図７および図８に示すように、梳き鋏１を適宜傾斜させ、梳き工程（セニング工程）と切断工程（例えば、ぶつ切りに間引きするブリックカット）を同時に行なう。すなわち、梳き鋏１の刃先側は、切り刃部２２、３３により１００％切断できるため、刃先側つまり毛髪Ｈの根元側Ｈ１に強い切れ込みが生じ、切り刃部２２と櫛刃部３２とで切断した部分Ｈ２は梳いた状態となる。
【００２０】
毛髪Ｈは、梳いた部分から曲がり易くなる性質があるので、毛髪の根元近くできることにより、通常よりも激しく毛髪を曲げることが可能となる。毛髪Ｈの部分Ｈ２は、根元側Ｈ１から曲がるのであるが、図７に示すように、所定の束の状態であるため、立体的な状態となる。
【００２１】
また、かかるマテリアルカットは、梳き鋏１を下方に移動させながら行なう場合がある。このとき、図６（ａ）に示すように、櫛刃部３２の溝３５の入口部３６に入った毛髪Ｈは、入口部３６から膨出部３７に逃げようとする。溝３５は傾斜して設けられているため、図６（ｂ）に示すように、梳き鋏１を下方（矢印方向）に移動させると、かかる毛髪Ｈは、膨出部３７の傾斜する縁３７ａに沿って入口側のＣからＢを経て最終的には切り刃部２２と接触しないＡ（膨出部３７の底部３７ａ）に向かうこととなる。このため、切断されずに溝３５に入った毛髪Ｈが、一方の鋏部材２の切り刃部２２と不用意に接触するのを防止し、客に不安感や不快感を与えることことなく安全に梳き鋏１を毛髪の先端側に移動させて抜くことができる。
【００２２】
なお、図７において、右側の毛髪Ｈは、梳き鋏１を上から使用した場合を、左側の毛髪Ｈは、梳き鋏１を下から使用した場合をそれぞれ示す。
【００２３】
仮に、櫛刃部３２の溝３５が、図１０に示すように傾斜していない場合には、同図（ａ）のように溝３５に入った毛髪Ｈは、同図（ｂ）に示すように、梳き鋏１を矢印方向に移動させると、膨出部３７の縁３７ａに沿ってＣからＡに移動し難く、切り刃部２２と接触することとなり、切り刃部２２と膨出部３７の縁３７ａとで毛髪Ｈを引っ張ってしまうので不快感は大きい。
【００２４】
なお、マテリアルカットの際にも、毛先側の毛量調節も同時に行なうことができ、しかも、毛束感を出す場合には、レーザーでカットしたような毛束感も簡単に作ることができる。
【００２５】
仕上げ工程の場合には、図９に示すように、梳き鋏１は先端に普通の刃（切り刃部２２、３３）があるため、毛髪Ｈの裾部分Ｈ３を揃える等の切断が可能である。
【００２６】
以上のように、本実施の形態の梳き鋏１は、毛先の毛量調整や、レザーカットによる毛束感の演出も行えるうえ、裾回りのネックラインや刈上げ部分あるいは毛先を揃えたりするとときも有効である。したがて、これ一本で、例えばセニングまたはブリックカットの各カットや、両者同時のカットを適宜行なえることから、毛量調整から、マテリアルカット、仕上げまでの幅広い範囲で容易に使用できる。
【００２７】
本発明は、前記の実施例に限定されるものではなく、例えば、一方の鋏部材２を動刃側とし、他方の鋏部材３を静刃側とすることも可能である。
【図面の簡単な説明】
【００２８】
【図１】本発明の一実施形態に係る梳き鋏の正面図である。
【図２】同梳き鋏の背面図である。
【図３】同梳き鋏を開いた状態の正面図である。
【図４】同梳き鋏の刃の部分を示す正面図である。
【図５】同梳き鋏の側面図である。
【図６】（ａ）および（ｂ）は、同梳き鋏の要部を示す正面図である。
【図７】同梳き鋏の使用状態を示す図である。
【図８】（ａ）は同梳き鋏によりカットした毛髪の概略斜視図、（ｂ）は同梳き鋏の使用状態を示す図である。
【図９】同梳き鋏の使用状態を示す図である。
【図１０】図６に対応する比較例を示す図である。
【符号の説明】
【００２９】
１      梳き鋏
２      一方の鋏部材
３      他方の鋏部材
３２    櫛刃部
３３    切り刃部
３４    幅の狭い刃部
３５    溝
３６    入口部
３７    膨出部
Ｈ      毛髪
Ｌｌ    櫛刃部の長さ
Ｌ２    切り刃部の長さ
【図１】
2007215686.tif 000003
【図２】
2007215686.tif 000004
【図３】
2007215686.tif 000005
【図４】
2007215686.tif 000006
【図５】
2007215686.tif 000007
【図６】
2007215686.tif 000008
【図７】
2007215686.tif 000009
【図８】
2007215686.tif 000010
【図９】
2007215686.tif 000011
【図１０】
2007215686.tif 000012